(57)【要約】【課題】楽な着け心地で、尿失禁を緩和する。【解決手段】  ショーツ１は、後身頃部６０と、前身頃部５０と、局部に設けられるクロッチ部１０を有する。クロッチ部１０は、局部の左右中心線に対応する位置に設けられるクロッチ中心部１２と、局部の左右中心線の脇側に対応する位置に設けられるクロッチ左右部１３とを備える。クロッチ中心部１２は、クロッチ左右部１３よりも高い緊締力を有し、クロッチ部１０は、クロッチ中心部１２の緊締力で会陰腱中心Ｐ１１１を押圧するとともに、クロッチ左右部１３の緊締力で浅会陰横筋Ｐ１１２を押圧する。【選択図】      図１
2018021265.tif 000002
【特許請求の範囲】
【請求項１】
クロッチ部を有する衣料であって、
本体部と、
局部に設けられるクロッチ部を備え、
前記クロッチ部は、局部の左右中心線に対応する位置に設けられるクロッチ中心部と、局部の左右中心線の脇側に対応する位置に設けられるクロッチ左右部とを備え、
前記クロッチ中心部は、前記クロッチ左右部よりも高い緊締力を有し、
前記クロッチ中心部の緊締力で会陰腱中心を押圧するとともに、前記クロッチ左右部の緊締力で浅会陰横筋を押圧する
ことを特徴とするクロッチ部を有する衣料。
【請求項２】
前記本体部の背側の左右中心線に対応する位置であって、前記クロッチ中心部の後端から前記本体部の背側のウエストの高さ位置近傍に設けられ、ウエストの高さ位置近傍で、前記本体部よりも高い緊締力を有する後中心部をさらに備える
ことを特徴とする請求項１に記載のクロッチ部を有する衣料。
【請求項３】
前記後中心部は、前記クロッチ中心部の後端近傍で、ウエストの高さ位置近傍よりも高い緊締力を有し、
前記後中心部の前記クロッチ中心部の後端近傍は、前記クロッチ中心部と一体的に伸縮するように形成される
ことを特徴とする請求項２に記載のクロッチ部を有する衣料。
【請求項４】
前記クロッチ部から、前記本体部の前側のウエスト高さ位置近傍に設けられ、前記本体部よりも高い緊締力を有する前中心部をさらに備える
ことを特徴とする請求項１または２に記載のクロッチ部を有する衣料。
【請求項５】
前記クロッチ中心部の前端は、前記会陰腱中心に対応する位置に設けられ、
前記クロッチ左右部は、前記クロッチ中心部よりもさらに前方に延伸して設けられ、前記会陰腱中心より前方左右を押圧するように設けられる
ことを特徴とする請求項１ないし４のいずれか１項に記載のクロッチ部を有する衣料。
【請求項６】
前記本体部よりも高い緊締力を有し、左右の肛門挙筋を緊締する後緊締部をさらに備える
ことを特徴とする請求項１ないし５のいずれか１項に記載のクロッチ部を有する衣料。
【請求項７】
前記後緊締部は、下肢と胴体の境界のうち、坐骨よりも脇側に対応する位置と、局部に対応する位置で、前記本体部および前記クロッチ部に接続するとともに、肛門挙筋よりも上方で、前記本体部に接続し、
前記後緊締部が前記本体部に接続する坐骨よりも脇側に対応する位置と、局部に対応する位置との間に、内側に湾曲した形状を有し、前記本体部に接続しない開口部が設けられる
ことを特徴とする請求項６に記載のクロッチ部を有する衣料。
【請求項８】
前記クロッチ部は、
前記クロッチ中心部および前記クロッチ左右部を備える外側クロッチ部と、
前記外側クロッチ部よりも肌側に設けられ、緊締力を有するクロッチ緊締部と、
前記クロッチ緊締部よりも肌側に設けられ、伸長性の高い部材で形成される肌側クロッチ部とを備える
ことを特徴とする請求項１に記載のクロッチ部を有する衣料。
【発明の詳細な説明】
【技術分野】
【０００１】
本発明は、局部を被覆するクロッチ部を有する衣料に関する。
【背景技術】
【０００２】
骨盤底筋群の尿道括約筋の収縮および弛緩により、蓄尿および排尿が制御される。また加齢等により骨盤底筋群が緩むことにより、蓄尿および排尿がうまく制御されず、尿失禁を引き起こす場合がある。
【０００３】
そこで、骨盤底筋群の弛緩を改善し、尿失禁に対処可能なショーツが知られている（例えば、特許文献１参照）。特許文献１に記載のショーツにおいて、局部に設けられた吸収パッドが、前面および背面から上方に引き上げられる。これにより、吸収パッドは、股間部分を圧迫し、骨盤底筋群が支持され牽引されるので、特許文献１に記載のショーツによって、尿失禁障害を緩和することが期待される。
【先行技術文献】
【特許文献】
【０００４】
【特許文献１】特開２０１１−８９２４４号公報
【発明の概要】
【発明が解決しようとする課題】
【０００５】
特許文献１に記載のショーツにおいて、局部に設けられた吸収パッドを、前面及び背面から上方に引き上げて局部全体が圧迫される。従って、尿失禁障害の緩和効果を得るために局部に強いパワーが必要になり、着用者に不快感を与える場合がある。また、特許文献１に記載のショーツでは、吸収パッドと着用者の局部の形状があわず、十分な効果が得られない場合がある。
【０００６】
従って本発明の目的は、楽な着け心地で、尿失禁を緩和可能なクロッチ部を有する衣料を提供することである。
【課題を解決するための手段】
【０００７】
上記課題を解決するために、本発明の特徴は、クロッチ部を有する衣料に関する。クロッチ部を有する衣料は、本体部と、局部に設けられるクロッチ部を備える。クロッチ部は、局部の左右中心線に対応する位置に設けられるクロッチ中心部と、局部の左右中心線の脇側に対応する位置に設けられるクロッチ左右部とを備え、クロッチ中心部は、クロッチ左右部よりも高い緊締力を有し、クロッチ中心部の緊締力で会陰腱中心を押圧するとともに、クロッチ左右部の緊締力で浅会陰横筋を押圧する。
【０００８】
本体部の背側の左右中心線に対応する位置であって、クロッチ中心部の後端から本体部の背側のウエストの高さ位置近傍に設けられ、ウエストの高さ位置近傍で、本体部よりも高い緊締力を有する後中心部をさらに備えても良い。
【０００９】
後中心部は、クロッチ中心部の後端近傍で、ウエストの高さ位置近傍よりも高い緊締力を有し、後中心部のクロッチ中心部の後端近傍は、クロッチ中心部と一体的に伸縮するように形成されても良い。
【００１０】
クロッチ部から、本体部の前側のウエスト高さ位置近傍に設けられ、本体部よりも高い緊締力を有する前中心部をさらに備えても良い。
【００１１】
クロッチ中心部の前端は、会陰腱中心に対応する位置に設けられ、クロッチ左右部は、クロッチ中心部よりもさらに前方に延伸して設けられ、会陰腱中心より前方左右を押圧するように設けられても良い。
【００１２】
本体部よりも高い緊締力を有し、左右の肛門挙筋を緊締する後緊締部をさらに備えても良い。
【００１３】
後緊締部は、下肢と胴体の境界のうち、坐骨よりも脇側に対応する位置と、局部に対応する位置で、本体部およびクロッチ部に接続するとともに、肛門挙筋よりも上方で、本体部に接続し、後緊締部が本体部に接続する坐骨よりも脇側に対応する位置と、局部に対応する位置との間に、内側に湾曲した形状を有し、本体部に接続しない開口部が設けられても良い。
【００１４】
クロッチ部は、クロッチ中心部およびクロッチ左右部を備える外側クロッチ部と、外側クロッチ部よりも肌側に設けられ、緊締力を有するクロッチ緊締部と、クロッチ緊締部よりも肌側に設けられ、伸長性の高い部材で形成される肌側クロッチ部とを備えても良い。
【発明の効果】
【００１５】
本発明によれば、楽な着け心地で、尿失禁を緩和可能なクロッチ部を有する衣料を提供することができる。
【図面の簡単な説明】
【００１６】
【図１】本発明の実施の形態に係るショーツを、前身頃部を上にして平置きした状態を観察した図である。
【図２】本発明の実施の形態に係るショーツを、後身頃部を上にして平置きした状態を観察した図である。
【図３】本発明の実施の形態に係るショーツの着用状態を観察した図である。
【図４】本発明の実施の形態に係るショーツの左右の接続を解いて、ショーツの内側を平面に投射した状態を観察した図である。
【図５】本発明の実施の形態に係るショーツを構成する階層を説明する図である。
【図６】第１の変形例に係るショーツの左右の接続を解いて、平面に投射した状態を観察した図である。
【図７】第２の変形例に係るショーツの左右の接続を解いて、平面に投射した状態を観察した図である。
【図８】第３の変形例に係るショーツの左右の接続を解いて、平面に投射した状態を観察した図である。
【図９】骨盤底筋群の弛みと膀胱の関係を、説明する図である。
【図１０】女性の骨盤内を上方から観察する図である。
【図１１】骨盤を観察する図である。
【発明を実施するための形態】
【００１７】
次に、図面を参照して、本発明の実施の形態を説明する。以下の図面の記載において、同一または類似の部分には同一または類似の符号を付している。
【００１８】
本発明の実施の形態に係るクロッチ部を有する衣料は、ショーツである。本発明の実施の形態に係るショーツは、下端が下肢と胴体の境界近傍に配設される場合を説明するが、例えば、一分丈などの丈の長さの異なるショーツであっても良い。またショーツの上端が、ウエスト近傍位置に配設される場合を説明するが、例えば、ローライズ丈などの履き込み長さの異なるショーツであっても良い。
【００１９】
また本発明の実施の形態および第１の変形例においてショーツは、所望の形状および特性（伸縮性および緊締力など）を有する複数の生地を重ねたカットソーで形成される場合を説明するが、これに限られない。ショーツは、第２の変形例および第３の変形例に示すように、所望の形状に所望の特性を有するように、編み構造を変えながら編み上げて形成されても良い。また第２の変形例および第３の変形例において、所望の緊締力を発揮するように、所望の位置に樹脂プリント等 を施すように形成されても良い。
【００２０】
（実施の形態）
発明者らの知見によると、図９左図の骨盤底筋群Ｐ１０２が弛緩すると、図９右図の骨盤底筋群Ｐ１０２’のように、骨盤底筋群の高さ位置が下がる。これに伴って、骨盤底筋群Ｐ１０２に支えられた膀胱Ｐ１０１の位置も、図９右図の膀胱Ｐ１０１’のように下がり、このとき膀胱頸部は高さ位置Ｌ１０２まで下がる。このように、骨盤底筋群が弛緩すると、 膀胱頸部と外部との距離を確保できず、膀胱頸部を締めにくくなり、尿失禁が生じやすい。図９の右図の尿失禁が生じやすい状態の膀胱頸部の高さ位置Ｌ１０２は、左図の正常状態の膀胱頸部の高さ位置Ｌ１０１に比べて、下がっていることが判る。骨盤底筋群Ｐ１０２およびＰ１０２’は、骨盤底を構成する筋の総称である。
【００２１】
そこで本発明の実施の形態に係るショーツ１は、女性の局部をサポートし、図９の左図に示すように、膀胱Ｐ１０１’および骨盤底筋群Ｐ１０２’ を正常位置に戻す。これによりショーツ１は、膀胱頸部と外部との距離を確保し、膀胱頸部を締めやすくすることができる。このようなショーツ１は、尿失禁をおこしにくい状態を維持することを可能とする。
【００２２】
発明者らは、図１０に示す会陰腱中心Ｐ１１１、浅会陰横筋Ｐ１１２、肛門挙筋Ｐ１１３などを押圧することにより、効率的に骨盤底筋群Ｐ１０２を挙上させ、 尿失禁を緩和する効果が得られることを発見した。会陰腱中心Ｐ１１１は、尿道Ｐ１２１および膣Ｐ１２２と、肛門Ｐ１２３との間の、左右中心線上に位置する。浅会陰横筋Ｐ１１２は、会陰腱中心Ｐ１１１から左右方向に位置する。肛門挙筋Ｐ１１３は、肛門Ｐ１２３の周囲に位置する。
【００２３】
本願発明の実施の形態に係るショーツ１は、局部全体や骨盤底筋群Ｐ１０２全体を無作為に押圧することなく、会陰腱中心Ｐ１１１、浅会陰横筋Ｐ１１２、肛門挙筋Ｐ１１３などを集中的に押圧することで、楽な着け心地で、効果的に尿失禁を緩和することを可能とする。
【００２４】
図１ないし図３に示すように、本発明の実施の形態に係るショーツ１は、局部に設けられるクロッチ部１０と、本体部を備える。本体部は、前身頃部５０および後身頃部６０を備える。前身頃部５０および後身頃部６０は、着用者の左右両脇でそれぞれ接続する。クロッチ部１０と前身頃部５０は、前連結部１６を介して接続し、クロッチ部１０と後身頃部６０は、後連結部１７を介して接続する。
【００２５】
（クロッチ部）
クロッチ部１０は、外側クロッチ部１１と、外側クロッチ部１１よりも肌側に設けられるクロッチ緊締部１５と、クロッチ緊締部１５よりも肌側に設けられる肌側クロッチ部１４とを備える。クロッチ部１０は、外側から肌側方向に、外側クロッチ部１１、クロッチ緊締部１５および肌側クロッチ部１４の順に重ねて形成される。
【００２６】
外側クロッチ部１１は、局部の左右中心線に対応する位置に設けられるクロッチ中心部１２と、局部の左右中心線の外側（脇側）に対応する位置に設けられるクロッチ左右部１３とを備える。
【００２７】
外側クロッチ部１１は伸縮性を有する。外側クロッチ部１１は、クロッチ中心部１２の緊締力で会陰腱中心Ｐ１１１を押圧するとともに、クロッチ左右部１３の緊締力で浅会陰横筋Ｐ１１２を押圧する。
【００２８】
クロッチ中心部１２は、クロッチ左右部１３よりも高い緊締力を有するように形成される。クロッチ中心部１２は、クロッチ左右部１３を形成する左側の生地と右側の生地の接続部分に対応する。クロッチ中心部１２の裏側（肌側）に、ゴム紐などの伸縮しやすいテープ部材が設けられることにより、クロッチ左右部１３を形成する左側の生地と右側の生地を寄せ集めたギャザーが形成される。クロッチ中心部１２は、テープ部材の伸縮性により、局部の左右中心線上の形状にフィットするように伸縮し、局部の左右中心線を押圧することを可能とする。なお、本発明の実施の形態において、クロッチ中心部１２に設けられるテープ部材は、後述の後緊締部２０と一体に形成される場合を説明するが、これに限らない。
【００２９】
ここで、着用者の前額面断面（着用者の左右を結び前後に切断した断面）での局部の形状を説明する。前額面断面における局部の左右中心線は、周辺よりも奥まった位置に設けられ、周辺よりも上側に位置し、周辺である左右中心線の脇側（外側）は、左右中心線よりも下側に位置する。前額面断面において局部は、左右中心線を頂点とする逆Ｖ字状に形成される。左右中心線上に会陰腱中心Ｐ１１１が位置し、左右中心線の脇側に浅会陰横筋Ｐ１１２が位置するので、会陰腱中心Ｐ１１１は、浅会陰横筋よりも上側（奥側）に位置することになる。
【００３０】
本発明の実施の形態に係るショーツ１は、上述するような着用者の局部の形状に適合しやすいように形成される。具体的には、クロッチ中心部１２がクロッチ左右部１３よりも高い緊締力を有することにより、クロッチ中心部１２が奥に入り込んで、左右中心線上の逆Ｖ字形状の頂点に位置する会陰腱中心Ｐ１１１を、クロッチ中心部１２が押圧することが可能になる。さらに、クロッチ中心部１２にギャザーが設けられ、クロッチ左右部１３も伸縮性を有することから、クロッチ左右部１３が、逆Ｖ字形状の傾斜部分に位置する浅会陰横筋Ｐ１１２に沿いながら押圧する。これにより、クロッチ部１０は、局部の形状に沿って、会陰腱中心Ｐ１１１および浅会陰横筋Ｐ１１２を押圧することが可能となる。
【００３１】
クロッチ中心部１２の前端は、会陰腱中心Ｐ１１１に対応する位置に設けられる。図１に示すように、前連結部１６は、クロッチ部１０の外側クロッチ部１１およびクロッチ緊締部１５と、前身頃部５０を接続する。前連結部１６は、 クロッチ中心部１２の前端が谷となるＶ字状に形成される。会陰腱中心Ｐ１１１が、クロッチ中心部１２の先端であって、Ｖ字状の谷に対応するように、ショーツ１が着用され、クロッチ中心部１２が後方に伸びるので、会陰腱中心Ｐ１１１にパワーを集めて緊締することが可能となる。
【００３２】
また、クロッチ左右部１３は、クロッチ中心部１２よりもさらに前方に延伸して設けられ、会陰腱中心Ｐ１１１より前方左右を押圧するように設けられる。クロッチ左右部１３は、会陰腱中心Ｐ１１１の脇側のみならず、会陰腱中心Ｐ１１１の左右前方および左右後方を押圧することにより、会陰腱中心Ｐ１１１から左右方向（脇方向）に位置する浅会陰横筋Ｐ１１２を広い面で緊締することが可能になる。
【００３３】
後連結部１７は、クロッチ部１０の外側クロッチ部１１と、後身頃部６０とを接続する。また後連結部１７の左右中心線上において、クロッチ部１０の肌側クロッチ部１４の後端と接続する。後連結部１７は、 図２に示すように、左右中心線近傍が高く脇側で低くなるように、弧を描くように配設される。クロッチ中心部１２は、後述の後中心部３０に連結するように配設される。クロッチ中心部１２に設けられるテープ部材は、後身頃部６０の肌側にまで延伸して設けられても良い。
【００３４】
クロッチ緊締部１５は、外側クロッチ部１１よりも肌側に設けられ、緊締力を有する。クロッチ緊締部１５は、外側クロッチ部１１（クロッチ中心部１２およびクロッチ左右部１３）が形成する逆Ｖ字形状に追従して伸縮し、会陰腱中心Ｐ１１１および浅会陰横筋Ｐ１１２を緊締して押圧する。
【００３５】
肌側クロッチ部１４は、クロッチ緊締部１５よりも肌側に設けられ、伸長性の高い部材で形成される。肌側クロッチ部１４は、伸びやすい部材で形成されるので、外側クロッチ部１１が形成する逆Ｖ字形状に馴染み、クロッチ緊締部１５による局部の緊締を阻害しない。また、肌側クロッチ部１４を、滑らかな部材で形成することにより、着用感を向上させることができる。
【００３６】
（後身頃部）
図２ないし図４に示すように、後身頃部６０は、後中心部３０および後緊締部２０を備える。
【００３７】
後中心部３０は、本体部の背側（後身頃部６０）の左右中心線に対応する位置であって、クロッチ中心部１２の後端から本体部の背側（後身頃部６０）のウエストの高さ位置に設けられる。後中心部３０は、ウエストの高さ位置近傍で、本体部よりも高い緊締力を有し、クロッチ中心部１２の後端近傍で、ウエストの高さ位置近傍よりも高い緊締力を有する。また後中心部３０のクロッチ中心部１２の後端近傍は、クロッチ中心部と一体的に伸縮するように形成される。
【００３８】
後中心部３０は、後身頃の左部と右部の接続部分上に、クロッチ中心部１２に配設されたテープ部材が、延伸して配設されることによって形成される。このテープ部材は、後中心部３０の上側（ウエスト側）において、伸ばしながら固着されることにより、後身頃部６０よりも伸びにくく、高い緊締力を発揮するように形成される。この緊締力によりテープ部材は、ウエスト側からクロッチ部１０（特にクロッチ中心部１２）を引き上げ、局部の所定位置を押圧することを可能とする。またテープ部材は、後中心部３０の下方（クロッチ側）およびクロッチ部１０において、伸びる余地を残した状態で固着されることにより、クロッチ部１０とともに伸長しやすいように形成される。これにより後中心部３０の局部近傍部分は、局部の左右中心線上の形状や、臀部の形状に沿うように伸縮して配設されることが可能になる。
【００３９】
このように、後中心部３０およびクロッチ中心部１２に設けられたテープ部材は、クロッチ中心部１２の近傍で、局部の形状に沿いながら伸縮するとともに、ウエスト上方の緊締力により引き上げられる。これにより、後中心部３０は、クロッチ中心部１２が会陰腱中心Ｐ１１１に密着し適切にパワーをかけることを支援することができる。クロッチ中心部１２が会陰腱中心Ｐ１１１に密着し適切にパワーをかけることができるので、後中心部３０はさらに、クロッチ左右部１３が左右中心線の脇側の浅会陰横筋Ｐ１１２に適切にパワーをかけることを支援することができる。
【００４０】
後緊締部２０は、本体部（後身頃部６０）よりも高い緊締力を有し、左右の肛門挙筋Ｐ１１３を緊締する。
【００４１】
後緊締部２０は、後身頃部６０に、緊締力を発揮する生地を重ねて部分的に接続することにより、左右の肛門挙筋Ｐ１１３を押圧するパワーを発揮するように形成される。肛門挙筋Ｐ１１３は、骨盤底筋群Ｐ１０２の中でも比較的大きい筋であることが知られているところ、後緊締部２０が肛門挙筋Ｐ１１３を押圧することにより、効率的に骨盤底筋群Ｐ１０２を引き上げることを可能とする。
【００４２】
図４に示すように後緊締部２０は、下肢と胴体の境界のうち、坐骨Ｐ１３１よりも脇側に対応する位置Ｐ２２と、局部に対応する位置Ｐ２３で、本体部（後身頃部６０）とクロッチ部１０に接続する。後緊締部２０において、後緊締部２０が本体部に接続する２つの位置Ｐ２２およびＰ２３の間に、開口部２１が設けられる。開口部２１は、本体部の端部よりも内側に湾曲した形状を有し、本体部に接続しないように形成される。
【００４３】
後緊締部２０は、さらに、肛門挙筋Ｐ１１３よりも上方で、本体部（後身頃部６０）に接続するとともに、左右中心近傍で、後中心部３０および本体部に接続する。後緊締部２０の左右脇側（左右端）は後身頃部６０等の本体部に接続せず、開口部２１も本体部に接続しない。換言すると、後緊締部２０は、後緊締部２０の左右脇側（特に下側部分）と開口部２１が後身頃部６０等に接続しない浮かし構造で形成される。このような浮かし構造で形成されず、後緊締部２０が後身頃部６０やクロッチ部１０に接続される場合、後緊締部２０は、後身頃部６０やクロッチ部１０に追従しながら肛門挙筋Ｐ１１３を緊締するので、肛門挙筋Ｐ１１３への緊締が弱まる。これに伴って、クロッチ中心部１２による会陰腱中心Ｐ１１１の押圧が弱まり、適切に会陰腱中心Ｐ１１１を押圧できない場合がある。これに対し、本発明の実施の形態に係るショーツ１では、後緊締部２０が浮かし構造で形成されることにより、後緊締部２０の左右脇側や開口部２１は、は、本体部やクロッチ部１０と独立して配設される。これにより後緊締部２０は、本体部やクロッチ部１０の動きに影響を受けることなく肛門挙筋Ｐ１１３を緊締するとともに、クロッチ中心部１２による会陰腱中心Ｐ１１１の押圧を妨げることがない。
【００４４】
後緊締部２０は、ウエストの高さ位置近傍で、本体部に接続しても良い。後緊締部２０がウエストの高さ位置近傍で本体部に接続することにより、ウエストの安定位置から後緊締部２０を上方に引き上げ、後緊締部２０を張らせて肛門挙筋Ｐ１１３を緊締することができる。
【００４５】
後緊締部２０が、ウエストに対応する高さ位置近傍で本体部に接続する場合を説明したが、これに限られない。例えば、肛門挙筋Ｐ１１３に対応する位置よりも上方と下方で本体部に接続し、肛門挙筋Ｐ１１３を緊締できる程度の大きさを確保できればよい。後緊締部２０の大きさや本体部に接続する位置は、任意に設定される。
【００４６】
（前身頃部）
図１および図４に示すように、前身頃部５０は、前中心部４０を備える。
【００４７】
前中心部４０は、クロッチ部１０から、本体部（前身頃部５０）の前側のウエスト高さ位置近傍に設けられ、本体部よりも高い緊締力を有する。本発明の実施の形態において前中心部４０は、本体部に、さらに生地を重ねることにより、本体部よりも高い緊締力を実現する。
【００４８】
前中心部４０は、本体部の前側のウエスト高さ位置から、クロッチ部１０を引き上げることにより、クロッチ部１０による局部の押圧をサポートする。
【００４９】
前中心部４０の上端は、前身頃部５０に接続し、前中心部４０の下腹部近傍では、前身頃部５０に接続しない。これにより、前中心部４０は、前身頃部５０に追従することなく、肌に密着して、クロッチ部１０を引き上げることを可能とする。
【００５０】
図４に示すように前中心部４０は、前側の下腹部の左右中心線を覆う幅広面を有しているが、これに限るものではなく、前中心部４０の大きさは問わない。
【００５１】
（ショーツの階層）
図５を参照して、本発明の実施の形態に係るショーツ１を構成する各部の階層を説明する。図５の上方が、肌側に相当する。
【００５２】
肌側クロッチ部１４および前中心部４０は、最も肌に近い部分に配設される。肌側クロッチ部１４および前中心部４０は、一つの部材で、一体的に形成されても良い。前中心部４０の上端（図５の左端）は、前身頃部５０に接続する。肌側クロッチ部１４は、局部の両脇（下肢と胴体の境界の内側）近傍において、後緊締部２０および外側クロッチ部１１に接続する。肌側クロッチ部１４の後端は、後連結部１７の左右中心線上において、後中心部３０、後緊締部２０および外側クロッチ部１１に接続し、左右中心線の脇側では、接続しない。これにより、肌側クロッチ部１４は、後緊締部２０による肛門挙筋Ｐ１１３の緊締を阻害しないことを可能とする。
【００５３】
肌側クロッチ部１４および前中心部４０よりも外側に、クロッチ緊締部１５、後緊締部２０および後中心部３０が配設される。クロッチ緊締部１５および後緊締部２０は、一つの部材で、一体的に形成されても良い。
【００５４】
クロッチ緊締部１５および後緊締部２０よりも外側に、前身頃部５０、外側クロッチ部１１および後身頃部６０が配設される。前身頃部５０、外側クロッチ部１１および後身頃部６０は、それぞれ固着されて、一つのシート状部材を形成しても良い。
【００５５】
クロッチ緊締部１５および外側クロッチ部１１の前端は、それぞれＶ字状を有し、重なるように配設される。前連結部１６において、クロッチ緊締部１５および外側クロッチ部１１の前端と、前身頃部５０の下端とが連結する。後連結部１７において、外側クロッチ部１１の後端と、後身頃部６０の下端とが連結する。
【００５６】
後中心部３０は、一体形成される肌側クロッチ部１４および前中心部４０と、一体形成されるクロッチ緊締部１５および後緊締部２０との間に設けられる。後中心部３０は、左右中心線上で、クロッチ緊締部１５、後緊締部２０、外側クロッチ部１１および後身頃部６０と固着する。後中心部３０の前端は、会陰腱中心Ｐ１１１に対応する位置であって、クロッチ緊締部１５および外側クロッチ部１１の前端が形成するＶ字状の谷に対応する位置に設けられる。
【００５７】
後中心部３０は、伸縮性の高いテープ部材で形成されるので、外側クロッチ部１１のクロッチ中心部１２が、会陰腱中心Ｐ１１１を押圧するように伸縮する。また前連結部１６に、後緊締部２０および外側クロッチ部１１の前端と前身頃部５０の後端が重なり、前連結部１６が形成するＶ字状の谷に、後中心部３０の前端が重なる。従って、前連結部１６が形成するＶ字状の谷部分、具体的には、会陰腱中心Ｐ１１１に対応する位置に大きなパワーをかけることができる。さらに後中心部３０がウエスト高さ位置からクロッチ中心部１２を引き上げる。このような構成により、本願発明の実施の形態に係るショーツ１は、クロッチ部１０の密着を高めることを可能にする。
【００５８】
なお、図５に示す各部の階層は一例であって、これに限るものではない。
【００５９】
ここで、本発明の実施の形態に係るショーツ１を、１９名が着用した際の、着用テストを説明する。ショーツ１を着用する被験者（着用者）は、骨盤底筋群Ｐ１０２の弛緩が観察される女性である。着用テストにおいて、ショーツ１の着用直前の非着用時およびショーツ１の着用時のそれぞれにおいて、ショーツを着用した被験者（着用者）の局部周辺をＭＲＩ（Magnetic Resonance Imaging）撮影する。さらに、非着用時および着用時の撮影画像から、非着用時および着用時の、それぞれの膀胱頸部の高さ位置を特定する。
【００６０】
表１を参照して、着用テストの結果を説明する。表１は、１９人の各被験者について、各被験者が着用したショーツ１のサイズおよび膀胱頸部の挙上量を示した図である。膀胱頸部の挙上量は、各被験者の非着用時の膀胱頸部の高さ位置を基準とした、着用時の膀胱頸部の高さ位置である。表１において、着用時の膀胱頸部の高さ位置が、非着用時の膀胱頸部の高さ位置よりも高くなった場合、すなわち、膀胱頸部が挙上された場合に、挙上量がプラスの値を取る。
【００６１】
【表１】
2018021265.tif 000003
【００６２】
表１に示すように、全ての被験者において、膀胱頸部の挙上量がプラスの値を取り、ショーツ１の着用時における膀胱頸部の挙上が確認された。また全ての被験者の挙上量の平均は、約８ｍｍである。一般的な女性の尿道の長さは３０〜５０ｍｍ程度であるので、ショーツ１の着用によって、正常状態の尿道の１５〜３０％程度の長さを確保 できることがわかる。これにより、効果的に尿失禁を緩和することが期待できる。
【００６３】
（各部の属性の一例）
次に、各部を構成する材料の特性データの一例を説明する。
【００６４】
後中心部３０に設けられる部材（テープ部材）の上下方向（長手方向）において、伸長性が、１２０％から３００％程度で、伸長回復性（緊締力）が、５０ｃＮから１３０ｃＮ程度が好ましい。
【００６５】
後緊締部２０およびクロッチ緊締部１５に用いられる部材の上下方向（生地の経方向）において、伸長性が、１７０％から４３０％程度で、伸長回復性が、１００ｃＮから２５０ｃＮ程度が好ましい。また後緊締部２０およびクロッチ緊締部１５に用いられる部材の左右方向（生地の緯方向）において、伸長性が、８０％から２００％程度で、伸長回復性が、６０ｃＮから１７０ｃＮ程度が好ましい。後緊締部２０は、上下方向（生地の経方向）に伸びやすくかつ緊締力が高くなることが好ましい。
【００６６】
外側クロッチ部１１および本体部（後身頃部６０および前身頃部５０）に用いられる部材の上下方向（生地の緯方向）において、伸長性が、９０％から２４０％程度で、伸長回復性が、３０ｃＮから９０ｃＮ程度が好ましい。また本体部に用いられる部材の左右方向（生地の経方向）において、伸長性が、８０％から２１０％程度で、伸長回復性が、４０ｃＮから１００ｃＮ程度が好ましい。なお、外側クロッチ部１１および本体部は、同じ素材（生地）で形成されても良いし、異なる素材で形成されても良い。
【００６７】
前中心部４０に用いられる部材は、本体部よりも伸びやすい部材が好ましい。
【００６８】
ここで伸長性は、試験片を定速伸長形引張試験機に取り付け、試験片を左右方向および上下方向にそれぞれ加重１４．７Ｎをかけて測定されたものである。伸長回復性は、試験片を定速伸長形引張試験機に取り付け、３００ｍｍ／分程度の速度で伸長回復を複数回繰り返し、３０％伸長した際の伸長力（ｃＮ）と、３０％回復した際の回復力（ｃＮ）の平均により算出される。
【００６９】
試験片は、１６０ｍｍ×２５ｍｍであって、試験片は、上部つかみ２５ｍｍ、下部つかみ３５ｍｍおよびつかみ間隔１００ｍｍで、定速伸長形引張試験機に取り付けられる。なお後中心部３０に設けられるテープ部材の試験片は、１６０ｍｍ×全幅である。
【００７０】
本発明の実施の形態に係るショーツ１のクロッチ中心部１２およびクロッチ左右部１３は、上述するような複数の生地を重ねることにより、所望の伸長力および緊締力を発揮できる場合を説明したが、これらの生地の数や部材は一例であって、これに限られない。クロッチ中心部１２の伸長回復性は、部材の上下方向（着用者の前後方向）の伸長回復性が、２００ｃＮから５００ｃＮ程度が好ましい。クロッチ左右部１３の伸長回復性は、部材の上下方向の伸長回復性が、１４０ｃＮから３６０ｃＮ程度が好ましい。ここで、クロッチ左右部１３は、外側クロッチ部１１、クロッチ緊締部１５、および肌側クロッチ部１４を重ねたものである。またクロッチ中心部１２は、クロッチ左右部１３の左側の生地と右側の生地の接続部分に、ゴム紐などの伸縮しやすいテープ部材が設けられたものである。
【００７１】
ここでクロッチ中心部１２およびクロッチ左右部１３の伸長回復性は、ショーツ１のサンプル品を試験片として測定されたものである。具体的にはクロッチ中心部１２およびクロッチ左右部１３における各試験片は、ショーツ１のサンプル品のクロッチ中心部１２およびクロッチ左右部１３においてそれぞれ、１０ｍｍ離れた２点に針を刺し、その針をチャックしたものである。クロッチ中心部１２の伸長回復性は、クロッチ中心部１２における試験片を定速伸長形引張試験機に取り付け、上下方向（着用者の前後方向）に加重１４．７Ｎをかけて、３００ｍｍ／分程度の速度で伸長回復を複数回繰り返し、４０％伸長した際の伸長力（ｃＮ）と、４０％回復した際の回復力（ｃＮ）の平均により算出される。クロッチ左右部１３の伸長回復性は、クロッチ左右部１３における試験片を定速伸長形引張試験機に取り付け、上下方向（着用者の前後方向）に加重１４．７Ｎをかけて、３００ｍｍ／分程度の速度で伸長回復を複数回繰り返し、３０％伸長した際の伸長力（ｃＮ）と、３０％回復した際の回復力（ｃＮ）の平均により算出される。
【００７２】
このような本発明の実施の形態に係るショーツ１によれば、クロッチ中心部１２において伸縮性が高くなるように形成されるので、その両脇よりも奥に位置する会陰腱中心Ｐ１１１に当接し、押圧することが可能になる。また、クロッチ中心部１２が会陰腱中心Ｐ１１１に当接するので、クロッチ中心部１２の左右両脇に位置するクロッチ左右部１３は、浅会陰横筋Ｐ１１２を押圧することができる。ショーツ１は、会陰腱中心Ｐ１１１および浅会陰横筋Ｐ１１２を同時に押圧することにより、骨盤底筋群Ｐ１０２の挙上に貢献することができる。
【００７３】
さらに、クロッチ中心部１２の後端から背側のウエストの高さ位置近傍にかけて、後中心部３０を備えることにより、クロッチ中心部１２を背側上方から引き上げ、会陰腱中心Ｐ１１１における密着度を向上させることができる。
【００７４】
後緊締部２０は、左右の肛門挙筋Ｐ１１３を緊締する。ここで肛門挙筋Ｐ１１３は、骨盤緊締群の中でも相対的に大きい筋であるので、後緊締部２０は、効率的に骨盤底筋群Ｐ１０２を引き上げることを可能とする。
【００７５】
本発明の実施の形態に係る後緊締部２０において、開口部２１が設けられることにより、クロッチ部１０による局部の押圧を阻害することなく、肛門挙筋Ｐ１１３を押圧 することができる。
【００７６】
このような本発明の実施の形態に係るショーツ１は、骨盤底筋群全体を無作為に押圧することなく、局部の形状に沿いながら、会陰腱中心Ｐ１１１、浅会陰横筋Ｐ１１２、肛門挙筋Ｐ１１３などを集中的に押圧することで、楽な着け心地を実現することができる。
【００７７】
このような本発明の実施の形態に係るショーツ１の着用テストにおいて、表１に示すように、全ての被験者において、膀胱頸部の位置が上がったこと、すなわち、ショーツ１の着用により、図９に示す左図のように、膀胱Ｐ１０１の挙上が確認された。従って、本発明の実施の形態に係るショーツ１によれば、楽な着け心地で、効果的に尿失禁を緩和することが期待できる。
【００７８】
（第１の変形例）
図６を参照して、第１の変形例に係るショーツ１ａを説明する。ショーツ１ａは、図１および図４に示すショーツ１と比べて、前中心部４０を備えていない点が異なる。第１の変形例において肌側クロッチ部１４は、前連結部１６において、他の部材と固着される。
【００７９】
後中心部３０等によって、クロッチ部１０が適切に引き上げられ、局部を押圧することが可能な場合、第１の変形例に係るショーツ１ａのように、前中心部４０は設けられなくても良い。
【００８０】
（第２の変形例）
図７を参照して、第２の変形例に係るショーツ１ｂを説明する。図１等に示すショーツ１は、所望の形状および特性（伸縮性および緊締力など）を有する複数の生地を重ねたカットソーで形成されるが、ショーツ１ｂは、いわゆる編み立て構造により編み方を変えながら、所望の形状に所望の特性を有するように形成される。
【００８１】
ショーツ１ｂのクロッチ中心部１２において、いわゆるタック編みをすることにより、ショーツ１と同様にギャザーを形成し、会陰腱中心Ｐ１１１への押圧を可能にする。またショーツ１ｂは、編み立てにより一体に形成されるので、図４等に示すように開口部２１を設けなくとも、後緊締部２０による肛門挙筋の緊締と、クロッチ中心部１２による会陰腱中心Ｐ１１１への押圧を両立することが可能である。
【００８２】
第２の変形例に係るクロッチ中心部１２の伸長回復性は、本発明の実施の形態と同様に、部材の上下方向（着用者の前後方向）の伸長回復性が、２００ｃＮから５００ｃＮ程度が好ましい。クロッチ左右部１３の伸長回復性は、部材の上下方向の伸長回復性が、１４０ｃＮから３６０ｃＮ程度が好ましい。
【００８３】
（第３の変形例）
図８を参照して、第３の変形例に係るショーツ１ｃを説明する。ショーツ１ｃは、第２の変形例に係るショーツ１ａを、編み立て構造により形成したものである。図８に示すように、編み立て構造においても、後中心部３０等によって、クロッチ部１０が適切に引き上げられ、局部を押圧することが可能な場合、前中心部４０は設けられなくても良い。
【００８４】
また、第３の変形例および第４の変形例において、所望の緊締力を発揮するために、所望の位置に樹脂プリント等を施すように形成しても良い。
【００８５】
（その他の実施の形態）
上記のように、本発明の実施の形態とその第１ないし第３の変形例によって記載したが、この開示の一部をなす論述および図面はこの発明を限定するものであると理解すべきではない。この開示から当業者には様々な代替実施の形態、実施例および運用技術が明らかとなる。
【００８６】
例えば、本発明の実施の形態において、クロッチ部を有する衣料は、ショーツである場合を説明したが、ガードルやレギンス等に適用されても良い。
【００８７】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００８８】
１  ショーツ
１０  クロッチ部
１１  外側クロッチ部
１２  クロッチ中心部
１３  クロッチ左右部
１４  肌側クロッチ部
１５  クロッチ緊締部
１６  前連結部
１７  後連結部
２０  後緊締部
２１  開口部
３０  後中心部
４０  前中心部
５０  前身頃部
６０  後身頃部
Ｐ１０１  膀胱
Ｐ１０２  骨盤底筋群
Ｐ１１１  会陰腱中心
Ｐ１１２  浅会陰横筋
Ｐ１１３  肛門挙筋
Ｐ１２１  尿道
Ｐ１２２  膣
Ｐ１２３  肛門
Ｐ１３１  坐骨
【図１】
2018021265.tif 000004
【図２】
2018021265.tif 000005
【図３】
2018021265.tif 000006
【図４】
2018021265.tif 000007
【図５】
2018021265.tif 000008
【図６】
2018021265.tif 000009
【図７】
2018021265.tif 000010
【図８】
2018021265.tif 000011
【図９】
2018021265.tif 000012
【図１０】
2018021265.tif 000013
【図１１】
2018021265.tif 000014